【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
サンプルを本質的目標と本質的非目標種に選別する微少溶液選別装置であって、
（ａ）二つの相対する壁を持つ流通チャンネルと、サンプル中の磁性粒子を少なくとも一時的に捕獲するため、前記サンプルに磁力を発揮する、相対する壁の只一方の上にある磁界勾配生成構造体とから成るトラップモジュール、
（ｂ）微少溶液選別装置の上に於いて前記トラップモジュールと合体された加工前及び／或いは加工後部署、および
（ｃ）交互に異なる極性を有する磁石の配列を含む磁界生成用の外部源、から成る微少溶液選別装置。
【請求項２】
磁界勾配生成構造体を有する相対する壁が不透明壁の上にあるものである、請求項１に記載の微少溶液選別装置。
【請求項３】
前記磁界生成用の外部源がトラップモジュールの磁界勾配生成構造体と同じ側に位置するものである、請求項１に記載の微少溶液選別装置。
【請求項４】
前記交互に異なる極性を有する磁石の配列を、個別にまたは一体として、トラップモジュールに関して移動する機構から更に成る、請求項１に記載の微少溶液選別装置。
【請求項５】
前記磁界生成用の外部源が複数の永久磁石からなるものである、請求項１に記載の微少溶液選別装置。
【請求項６】
前記磁界生成用の外部源が複数の電磁石からなるものである、請求項１に記載の微少溶液選別装置。
【請求項７】
磁界勾配生成構造体がそれに相対する壁にパタンとして設計された強磁性構造体である、請求項１に記載の微少溶液選別装置。
【請求項８】
パタンが平行線、直交格子、規則的或は不規則的な幾何学的形状の矩形配列、及びそれらの組み合わせから成るグループから選ばれるものである、請求項７に記載の微少溶液選別装置。
【請求項９】
磁界勾配生成構造体が強磁性構造体のランダム配列である、請求項１に記載の微少溶液選別装置。
【請求項１０】
強磁性構造体の物質がニッケル、バナジウム  パーメンジュ、或はパーマロイである、請求項７に記載の微少溶液選別装置。
【請求項１１】
前記流通チャンネルがトラップ領域で深さがより大きいものである、請求項１に記載の微少溶液選別装置。
【請求項１２】
トラップモジュールが二つ以上のトラップ領域を有する段階的トラップシステムから成るものである、請求項１に記載の微少溶液選別装置。
【請求項１３】
第二平行独立トラップモジュールと、これらのトラップモジュールを連結する共通バッファマニホールドから更に成る、請求項１に記載の微少溶液選別装置。
【請求項１４】
加工前部署がサンプルの中の種にラベル付けされた種との親和性を有する磁性粒子でラベル付けするラベル部署から成るものである、請求項１に記載の微少溶液選別装置。
【請求項１５】
加工後部署が目標種を検出ための検出部署から成るものである、請求項１に記載の微少溶液選別装置。
【請求項１６】
加工前部署或は加工後部署の中少なくとも一つが、（ａ）選別装置を通過するサンプルの中の目標種の濃度を増加する濃縮モジュール、（ｂ）反応モジュール、（ｃ）検出モジュール、及び（ｄ）細胞を分解し、ウイルス性蛋白質外被を崩壊し、或は別の方法で小さい生存システムを開放する分解モジュールとから成る、請求項１に記載の微少溶液選別装置。
【請求項１７】
トラップモジュールが（１）ゲノム解析、（２）ＤＮＡ或はＲＮＡオリゴマー用の検出及び／或は増幅体系、（３）遺伝子発現、（４）酵素的活性分析、（５）受容体結合分析、及び（６）ＥＲＩＳＡ分析から成るグループから選ばれる工程を実施するように設計或は構成されたものである、請求項１に記載の微少溶液選別装置。
【請求項１８】
トラップモジュールと、トラップモジュールの二つの相対する壁の只一方の上にある磁界勾配生成構造体とを含む微少溶液選別装置の中のサンプルを選別する方法であって、
分子識別要素をその上に持つ複数の磁性粒子と目標種と非目標種とから成るサンプルをトラップモジュールを通して流す工程と、
交互に異なる極性を有する磁石の配列を使用してモジュールの一方の側から磁界勾配生成構造体へと外部磁界を発揮させることによりトラップモジュールの中に磁界勾配を生成する工程と、
トラップモジュールの中の前記サンプルの流れから、磁性粒子を、トラップモジュールの一つの壁の上の磁界勾配生成構造体の近くでトラップする工程とから成る方法。
【請求項１９】
サンプルに伴ってバッファをトラップモジュールを通して流す工程から更に成るものである、請求項１８に記載のサンプルを選別する方法。
【請求項２０】
各運転に於いてバッファはトラップモジュールを通して連続的に流すものである、請求項１９に記載のサンプルを選別する方法。
【請求項２１】
磁性粒子が流体媒体の中をモジュールを通じて流れる間、
前記交互に異なる極性を有する磁石の配列を、個別にまたは一体として、トラップモジュールに関して移動させ、それにより磁性粒子を本質的に均一的にトラップする工程から更に成るものである、請求項１８に記載のサンプルを選別する方法。
【請求項２２】
磁性粒子を磁界勾配生成構造体の一部分から解放してトラップされたいずれの非磁性粒子をも解放する工程と、
磁性粒子を磁界勾配生成構造体の他の部分でトラップする工程とから更に成るものである、請求項１８に記載のサンプルを選別する方法。
【請求項２３】
サンプルの中の目標種を目標種と親和性のある磁性粒子でラベル付けする工程から更に成るものである、請求項１８に記載のサンプルを選別する方法。
【請求項２４】
サンプルの中の非目標種を非目標種と親和性のある磁性粒子でラベル付けする工程から更に成るものである、請求項１８に記載のサンプルを選別する方法。
【請求項２５】
マイクロアレイの中の目標種を検出する工程から更に成るものである、請求項１８に記載のサンプルを選別する方法。
【請求項２６】
目標種を分解する工程から更に成るものである、請求項１８に記載のサンプルを選別する方法。
【請求項２７】
目標種を反応させて目標種を増幅し、配列し、雑種を作り、ラベル付けをし、クロスリンクし、或は培養する工程から更に成るものである、請求項１８に記載のサンプルを選別する方法。
【請求項２８】
トラップされた目標種を撮像する工程から更に成るものである、請求項１８に記載のサンプルを選別する方法。
【請求項２９】
交互に異なる極性を有する磁石の配列が市松模様に配置される、請求項１に記載の微小溶液選別装置。
【請求項３０】
サンプルを目標種と非目標種とに選別する微小溶液選別装置であって、
（ａ）二つの相対する壁を持つ流通チャンネルと、サンプル中の磁性粒子を少なくとも一時的に捕獲するため、サンプルに磁力を発揮する磁界勾配生成構造体と、を有するトラップモジュール、及び、
（ｂ）交互に異なる極性を有する永久磁石の配列を含む磁界形成用の外部源、から成る微小溶液選別装置。
【請求項３１】
前記交互に異なる極性を有する磁石の配列は、固定されている、請求項３０に記載の微小溶液選別装置。
【請求項３２】
前記トラップモジュールが（１）ゲノム解析、（２）ＤＮＡ或はＲＮＡオリゴマー用の検出及び／或は増幅スキーマ、（３）遺伝子発現、（４）酵素活性分析、（５）受容体結合分析、及び（６）ＥＬＩＳＡ分析から成るグループから選ばれる工程を実施するように設計或は構成されたものである、請求項３０に記載の微小溶液選別装置。
【請求項３３】
前記加工前及び／或は加工後部署が入口ポートまたは出口ポートを備える、請求項１に記載の微小溶液選別装置。